(57)【要約】【課題】ユーザの利便性を向上させ、ユーザに快適な視聴環境を提供することが可能な立体画像用メガネを提供する。【解決手段】立体画像用メガネ１００は、画像表示装置に表示される右眼用画像と左眼用画像との切り替えのタイミング信号を受信する受信部９２０と、上記タイミング信号に従って、右眼用液晶シャッター１と左眼用液晶シャッター２とを開閉させる制御を行うシャッター制御部５１と、さらに、画像表示装置に立体画像用メガネ１００の状態を示す状態情報を送信する送信部９１０を備える。【選択図】図１
2012182752.tif 000002
【特許請求の範囲】
【請求項１】
それぞれ液晶シャッターが設けられた右眼用レンズ及び左眼用レンズと、
画像表示装置に表示される右眼用画像と左眼用画像との切り替えのタイミング信号を受信する受信部と、
上記タイミング信号に従って、右眼用レンズに設けられた液晶シャッターと左眼用レンズに設けられた液晶シャッターとを開閉させる制御を行うシャッター制御部と、を備えた立体画像用メガネにおいて、
上記画像表示装置に当該立体画像用メガネの状態を示す状態情報を送信する送信部を備えることを特徴とする立体画像用メガネ。
【請求項２】
充電池と、当該充電池の電圧を検出する電圧検出部と、を備え、
上記送信部は、上記電圧検出部が予め定められた電圧以下の電圧を検出した場合に、上記状態情報として当該立体画像用メガネの充電池に充電が必要である旨の情報を、上記画像表示装置に送信することを特徴とする請求項１に記載の立体画像用メガネ。
【請求項３】
上記送信部は、上記状態情報と共に当該立体画像用メガネの識別情報を上記画像表示装置に送信することを特徴とする請求項１または２に記載の立体画像用メガネ。
【請求項４】
当該立体画像用メガネがユーザに装着されているか否かを検知する装着検知部を備え、
上記送信部は、上記状態情報として上記装着検知部の検知結果を送信することを特徴とする請求項１から３のいずれか１項に記載の立体画像用メガネ。
【請求項５】
上記装着検知部は、当該立体画像用メガネの電源スイッチの入切に応じて、当該立体画像用メガネがユーザに装着されているか否かを検知することを特徴とする請求項４に記載の立体画像用メガネ。
【請求項６】
上記装着検知部は、光学的センサーから成ることを特徴とする請求項４に記載の立体画像用メガネ。
【請求項７】
上記装着検知部は、静電容量センサーから成ることを特徴とする請求項４に記載の立体画像用メガネ。
【請求項８】
上記シャッター制御部は、
（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、及び
（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、
の少なくとも一方の制御を行うことを特徴とする請求項１から７の何れか１項に記載の立体画像用メガネ。
【請求項９】
（ａ）上記第１画像用制御、
（ｂ）上記第２画像用制御、及び
（ｃ）上記左眼用画像の表示タイミングに合わせて、上記左眼用レンズに設けられた液晶シャッターを開き、上記右眼用レンズに設けられた液晶シャッターを閉じ、かつ、上記右眼用画像の表示タイミングに合わせて、上記右眼用レンズに設けられた液晶シャッターを開き、上記左眼用レンズに設けられた液晶シャッターを閉る制御である立体画像用制御、
のいずれか１つの制御を選択する選択部を備え、
上記シャッター制御部は、上記選択部の選択に従って上記右眼用レンズ及び左眼用レンズに設けられた液晶シャッターの開閉の制御を行うことを特徴とする請求項８に記載の立体画像用メガネ。
【請求項１０】
右眼用画像と左眼用画像とを切り替えながら表示する画像表示装置において、
当該右眼用画像と左眼用画像との切り替えタイミング信号に従って、右眼用レンズに設けられた液晶シャッターと左眼用レンズに設けられた液晶シャッターとを開閉させる立体画像用メガネから、当該立体画像用メガネの状態を示す状態情報を受信する受信部と、
上記受信した状態情報に基づき当該画像表示装置の制御を行う制御部と、を備えることを特徴とする画像表示装置。
【請求項１１】
上記制御部は、上記状態情報に基づき当該画像表示装置での表示の制御を行う表示制御部を備えたことを特徴とする請求項１０に記載の画像表示装置。
【請求項１２】
上記受信部が、上記状態情報として上記立体画像用メガネの充電池には充電が必要である旨の情報を受信すると、上記表示制御部は、上記受信した状態情報に基づき、当該画像表示装置にて上記立体画像用メガネの充電池には充電が必要である旨の表示を行うことを特徴とする請求項１１に記載の画像表示装置。
【請求項１３】
上記受信部が、上記状態情報と共に上記立体画像用メガネから上記立体画像用メガネの識別情報を受信すると、上記表示制御部は、上記受信した状態情報と共に識別情報の表示を行うことを特徴とする請求項１１または１２に記載の画像表示装置。
【請求項１４】
上記受信部が、上記状態情報として上記立体画像用メガネがユーザに装着されていることを示す情報を受信すると、
上記表示制御部は、右眼用画像と左眼用画像とを切り替えながら表示することを特徴とする請求項１１から１３の何れか１項に記載の画像表示装置。
【請求項１５】
上記受信部が、上記立体画像用メガネから、上記状態情報として、上記立体画像用メガネがユーザに装着されていないことを示す情報を受信すると、または、上記立体画像用メガネがユーザに装着されていることを示す情報を受信しないと、
上記表示制御部は、右眼用画像と左眼用画像とを切り替えない平面画像を表示することを特徴とする請求項１１から１４の何れか１項に記載の画像表示装置。
【請求項１６】
上記受信部が、複数の上記立体画像用メガネからの上記状態情報を受信し、受信した複数の上記状態情報の中に、１つでもユーザに装着されていることを示す状態情報が含まれていると、
上記表示制御部は、右眼用画像と左眼用画像とを切り替えながら表示することを特徴とする請求項１１から１５の何れか１項に記載の画像表示装置。
【請求項１７】
上記受信部は、複数の上記立体画像用メガネから上記状態情報を受信し、
受信した全ての上記状態情報に、ユーザに装着されていないことを示す状態情報が含まれている、または
受信した全ての上記状態情報に、ユーザに装着されていることを示す状態情報が含まれてない、または、
上記受信部が、１つも上記立体画像用メガネからユーザに装着されていることを示す状態情報を受信しないと、
上記表示制御部は、右眼用画像と左眼用画像とを切り替えない平面画像を表示することを特徴とする請求項１１から１６の何れか１項に記載の画像表示装置。
【請求項１８】
それぞれ液晶シャッターが設けられた右眼用レンズ及び左眼用レンズと、
画像表示装置に表示される右眼用画像と左眼用画像との切り替えのタイミング信号を受信するタイミング信号受信部と、
上記タイミング信号に従って、右眼用レンズに設けられた液晶シャッターと左眼用レンズに設けられた液晶シャッターとを開閉させるシャッター制御部と、
（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、
（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、及び
（ｃ）左眼用画像の表示タイミングに合わせて、上記左眼用レンズに設けられた液晶シャッターを開き、上記右眼用レンズに設けられた液晶シャッターを閉じ、かつ、右眼用画像の表示タイミングに合わせて、右眼用画像の表示タイミングに合わせて、上記右眼用レンズに設けられた液晶シャッターを開き、上記左眼用レンズに設けられた液晶シャッターを閉る制御である立体画像用制御、
の何れか１つの制御を選択させる選択信号を受信する選択信号受信部と、を備え、
上記シャッター制御部は、上記受信した選択信号によって、上記第１画像用制御、上記第２画像用制御、及び上記立体画像用制御、のいずれか１つを選択して上記右眼用レンズ及び左眼用レンズに設けられた液晶シャッターの開閉の制御を行うことを特徴とする立体画像用メガネ。
【請求項１９】
上記選択信号受信部が、上記選択信号と共に、上記選択を行う個体であることを示す識別情報を受信すると、上記シャッター制御部は、上記識別情報から、当該立体画像用メガネが上記選択を行う個体であるか否かを判断し、上記選択を行う個体であると判断した場合に、上記受信した選択信号に従って、上記第１画像用制御、上記第２画像用制御、及び上記立体画像用制御、のいずれか１つを選択して上記右眼用レンズ及び左眼用レンズに設けられた液晶シャッターの開閉の制御を行うことを特徴とする請求項１８に記載の立体画像用メガネ。
【請求項２０】
右眼用画像と左眼用画像とを切り替えながら表示する画像表示装置において、
右眼用レンズに設けられた液晶シャッターと左眼用レンズに設けられた液晶シャッターとを開閉させる立体画像用メガネに対して、
（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、
（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、及び
（ｃ）左眼用画像の表示タイミングに合わせて、上記左眼用レンズに設けられた液晶シャッターを開き、上記右眼用レンズに設けられた液晶シャッターを閉じ、かつ、右眼用画像の表示タイミングに合わせて、右眼用画像の表示タイミングに合わせて、上記右眼用レンズに設けられた液晶シャッターを開き、上記左眼用レンズに設けられた液晶シャッターを閉る制御である立体画像用制御、
のうちの何れか１つの制御を選択させるための選択信号を送信する選択信号送信部を備えたことを特徴とする画像表示装置。
【請求項２１】
上記選択信号送信部は、上記選択信号と共に、上記選択を行う個体であることを示す識別情報を、上記立体画像用メガネに対して送信することを特徴とする請求項２０に記載の画像表示装置。
【請求項２２】
請求項１に記載の立体画像用メガネと、請求項１０に記載の画像表示装置と、を備えたことを特徴とする画像表示システム。
【請求項２３】
請求項１８に記載の立体画像用メガネと、請求項２０に記載の画像表示装置と、を備えたことを特徴とする画像表示システム。
【請求項２４】
請求項１から９，１８，１９の何れか１項に記載の立体画像用メガネを備えていることを特徴とする電子機器。
【請求項２５】
請求項１０から１７，２０，２１の何れか１項に記載の画像表示装置を備えていることを特徴とする電子機器。
【請求項２６】
請求項１から９，１８，１９の何れか１項に記載の立体画像用メガネを動作させるための制御プログラムであって、コンピュータを上記立体画像用メガネの上記各部を制御する統括制御部として機能させるための制御プログラム。
【請求項２７】
請求項１０から１７，２０，２１のいずれか１項に記載の画像表示装置を動作させるための制御プログラムであって、コンピュータを上記画像表示装置の上記各部を制御する統括制御部として機能させるための制御プログラム。
【請求項２８】
請求項２６または２７に記載の制御プログラムが記録されたコンピュータ読み取り可能な記録媒体。
【発明の詳細な説明】
【技術分野】
【０００１】
本発明は、画像表示装置での立体画像（立体映像）に対応した立体画像用メガネ、画像表示装置、及び、立体画像用メガネと画像表示装置とを備えた画像立体表示システムに関するものである。
【背景技術】
【０００２】
従来から、レンズに液晶シャッターを備えた立体画像用メガネ（立体視用メガネ、３Ｄメガネ）を装着して、テレビやパソコン等の画像表示装置に表示された画像を立体視する技術（立体画像を表示する技術）が知られている。この場合、画像表示装置では右眼用画像と左眼用画像とが順に表示される。そして、右眼用画像が表示される間は立体画像用メガネの右眼用レンズに設けられた液晶シャッターのみが開く。一方、左眼用画像が表示される間は立体画像用メガネの左眼用レンズに設けられた液晶シャッターのみが開く。これらを繰り返すことにより、立体画像用メガネを装着したユーザは、立体画像を見ることができる。
【０００３】
このような立体視の技術として、例えば、特許文献１に、赤外線通信により右眼用の液晶シャッターと左眼用の液晶シャッターとの開閉の切り替えタイミング信号を受信する、ワイヤレス立体視用シャッターメガネが開示されている。特許文献１のワイヤレス立体視用シャッターメガネの外観斜視図を図８に示す。また、図８の要部拡大断面図を図９に示す。図８に示すワイヤレス立体視用メガネ７０では、図９に示すように、赤外線により送られてくるシャッター切り替えタイミング信号を、受光素子７１で受けた後、信号処理回路８３にて液晶駆動信号に変換する。そして、この液晶駆動信号により、右眼用液晶シャッター７２と左眼用液晶シャッター７３との開閉を切り替える。さらに、ワイヤレス立体視用メガネ７０は、電源装置７５で、メガネフレーム８６、ヘッドバンド７４等を備えている。
【０００４】
また、例えば、特許文献２には、シャッター切り替え信号を受信する無線受信装置が開示されている。特許文献２の無線受信装置と無線受信装置に信号を送る送信装置とを図１０に示す。図１０に示すように、立体画像が映し出されるテレビジョン受像機本体９１の上に遠隔制御信号を送出する送信装置９２が設置されており、左右の画像に同期したメガネシャッター切り替え信号を送信する。メガネシャッター切り替え信号は、テレビジョンの遠隔操作信号のうちの一つで、シャッター切り替えであることを識別する符号と、左眼であるか右眼であるかを区別する符号でなるコード信号である。このコード信号によって搬送波を変調し、赤外線等によって送信装置９２の筐体の窓９３から送信される。
【０００５】
一方、無線受信装置９０は、通常のメガネと同様のメガネ形状に構成され、左右の眼にそれぞれ対応する液晶シャッター９６，９７が設けられており、これを顔面に支持するために、ツル（枠）９５が設けられている。さらにツル９５には受信装置９４が備えられ、上記シャッター切り替え信号を受信するようになっている。
【０００６】
また、特許文献２には、無線受信装置に信号を送る送信装置として、図１１に示すように、制御しようとする項目に対応するコード信号を送信するリモコン（遠隔制御信号）送信装置１０１が開示されている。この例においては、コード信号は液晶シャッターメガネのシャッター制御であることを識別し、かつ、開閉するシャッターが右眼用か左眼用かを指定する、コード信号である。
【０００７】
送信装置１１１から赤外線信号として送られて来た上記コード信号は、受信部１１２の光電変換器で受光され、波形整形されたコード信号として、デコーダ１０３に供給される。デコーダ１０３は、受信したコード信号を復号化して、シャッターメガネ駆動装置１０４にシャッター信号を送る。シャッターメガネ駆動装置１０４は、デコーダ１０３から供給される制御信号に従って、液晶シャッターメガネ１０５の左眼用のシャッターと右眼用のシャッターとの開閉動作を行う。
【先行技術文献】
【特許文献】
【０００８】
【特許文献１】実開昭６４−１９９１５号公報
【特許文献２】特開平８−２６５８６３号公報
【発明の概要】
【発明が解決しようとする課題】
【０００９】
ところが、上記のように、従来の技術では、液晶シャッターの切り替え信号が伝送される方向は、画像表示装置が送信側、立体画像用メガネが受信側となる一方向のみであった。そのため、立体画像用メガネに関する情報を画像表示装置に送信することはできなかった。よって、例えば、立体画像用メガネに不具合等が発生した場合に、ユーザには、立体画像用メガネに何が起きているかをすぐに把握できずに、不都合であった。また、立体画像用メガネは、液晶シャッターの切り替え用の信号以外は受信しないため、操作において不都合があった。
【００１０】
そこで、本発明は、上記従来の問題点に鑑みなされたものであり、その目的は、ユーザの利便性を向上させ、ユーザに快適な視聴環境を提供することが可能な立体画像用メガネ、画像表示装置、画像表示システム、電子機器等を提供することにある。特に、立体画像用メガネから画像表示装置に対して情報伝送が可能な立体画像用メガネ等を提供することにある。また、画像表示装置から液晶シャッターの切り替え信号以外の制御信号を受けることが可能な立体画像用メガネ等を提供することにある。
【課題を解決するための手段】
【００１１】
本発明の立体画像用メガネは、上記課題を解決するために、それぞれ液晶シャッターが設けられた右眼用レンズ及び左眼用レンズと、画像表示装置に表示される右眼用画像と左眼用画像との切り替えのタイミング信号を受信する受信部と、上記タイミング信号に従って、右眼用レンズに設けられた液晶シャッターと左眼用レンズに設けられた液晶シャッターとを開閉させる制御を行うシャッター制御部と、を備えた立体画像用メガネにおいて、上記画像表示装置に当該立体画像用メガネの状態を示す状態情報を送信する送信部を備えることを特徴としている。
【００１２】
上記構成によれば、立体画像用メガネの状態を示す状態情報を画像表示装置に送信することができる。つまり、立体画像用メガネの不具合や使用されている状況等の情報を画像表示装置に伝達することができる。そして、例えば、画像表示装置が受信した状態情報を表示や音声等で出力するようになっていると、ユーザは、画像表示装置での出力により、立体画像用メガネの不具合等の状態を確認でき、効率よく対処することができる。
【００１３】
このように、本発明の立体画像用メガネは従来できなかった、立体画像用メガネから画像表示装置への通信を可能とするものである。本発明の立体画像用メガネによると、ユーザに、立体画像用メガネの使い勝手がよく、快適な視聴環境を、提供することができる。
【００１４】
また、本発明の立体画像用メガネは、上記構成に加え、充電池と、当該充電池の電圧を検出する電圧検出部と、を備え、上記送信部は、上記電圧検出部が予め定められた電圧以下の電圧を検出した場合に、上記状態情報として当該立体画像用メガネの充電池に充電が必要である旨の情報を、上記画像表示装置に送信してもよい。
【００１５】
上記構成によると、電圧検出部が予め定められた電圧以下の電圧を検出して、充電池に充電が必要となった場合、充電が必要である旨の情報を画像表示装置に送信する立体画像用メガネを提供することができる。そして、例えば、画像表示装置が受信した状態情報に基づき、立体画像用メガネの充電池に充電が必要である旨の表示や音声等で出力するようになっていると、ユーザは、その出力を確認し、立体画像用メガネの充電池に充電を行うことができる。
【００１６】
また、本発明の立体画像用メガネでは、上記構成に加え、上記送信部は、上記状態情報と共に当該立体画像用メガネの識別情報を上記画像表示装置に送信してもよい。
【００１７】
上記構成によると、状態情報と共に立体画像用メガネの識別情報を画像表示装置に送信する立体画像用メガネを提供することができる。よって、複数の立体画像用メガネが使用されている際に、画像表示装置に、どの立体画像用メガネからの状態情報であるかを認識させることができる。ここで、識別情報は、立体画像用メガネに予め設定されているものでもよいし、立体画像用メガネと画像表示装置との情報交換により決定したものであってもよい。
【００１８】
例えば、画像表示装置が、第１の立体画像用メガネから、充電が必要である旨の状態情報を受信し、第１の立体画像用メガネには充電が必要である旨の表示や音声等で出力するようになっていると、ユーザは、その出力を確認し、第１の立体画像用メガネに充電を行うことができる。
【００１９】
また、本発明の立体画像用メガネは、上記構成に加え、当該立体画像用メガネがユーザに装着されているか否かを検知する装着検知部を備え、上記送信部は、上記状態情報として上記装着検知部の検知結果を送信してもよい。
【００２０】
上記構成によると、立体画像用メガネがユーザに装着されているか否かを、画像表示装置に送信できる立体画像用メガネを提供することができる。よって、例えば、画像表示装置が、立体画像用メガネが装着されていない旨の状態情報を受信すると、右眼用画像と左眼用画像とを切り替えない表示を行うようになっていると、ユーザ自身で選択あるいは変更の操作をする必要が無く、使い勝手がよい。なお、立体画像用メガネが装着されていない状態とは、装着を終えた状態（立体画像用メガネを外す場合）と、装着していないのが続いている状態と、を含む。
【００２１】
同様に、例えば、画像表示装置が、立体画像用メガネが装着されている旨の状態情報を受信すると、右眼用画像と左眼用画像とを切り替えながらの表示を行うようになっていると、ユーザ自身で選択あるいは変更の操作をする必要が無く、使い勝手がよい。なお、立体画像用メガネが装着されている状態とは、装着が始められる状態と、装着が続いている状態と、を含む。
【００２２】
ここで、右眼用画像と左眼用画像とを切り替えながらの表示には、立体画像の表示のほか、立体画像用の画像とは異なる２つの平面画像の表示がある。右眼用画像と左眼用画像とを切り替えない表示とは、立体画像用メガネの装着なしに、通常見える平面画像の表示である。
【００２３】
あるいは、例えば、画像表示装置が、立体画像用メガネが装着されていない旨の状態情報を受信すると、画像表示装置自身の電源を消すようになっていても、ユーザにとって使い勝手がよい。同様に、例えば、画像表示装置が、立体画像用メガネが装着されている旨の状態情報を受信すると、画像表示装置自身の電源を点けるようになっていても、ユーザにとって使い勝手がよい。
【００２４】
また、本発明の立体画像用メガネでは、上記構成に加え、上記装着検知部は、上記立体画像用メガネの電源スイッチの入切に応じて、当該立体画像用メガネがユーザに装着されているか否かを検知してもよい。上記構成によると、立体画像用メガネがユーザに装着されているか否かを検知を、電源スイッチの入切の状態にて判断することができる。
【００２５】
あるいは、上記装着検知部は、光学的センサーから成っていてもよい。この場合、光学的センサーにて、立体画像用メガネがユーザに装着されているか否かを検知することができる。あるいは、上記装着検知部は、静電容量センサーから成っていてもよい。この場合、静電容量センサーにて、立体画像用メガネがユーザに装着されているか否かを検知することができる。
【００２６】
また、本発明の立体画像用メガネでは、上記構成に加え、上記シャッター制御部は、（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、及び、（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、の少なくとも一方の制御を行ってもよい。
【００２７】
上記構成によると、第１画像用制御により、左眼用画像の表示タイミングに合わせて左眼用液晶シャッターを開くのではなく、左眼用画像（第１画像）のタイミングで左右両眼の液晶シャッターを開き、右眼用画像（第２画像）の表示タイミングでは、両眼の液晶シャッターを閉じる。よって、第１画像用制御では、ユーザは、第１画像のみが両眼にて見ることができる。反対に、第２画像用制御では、右眼用画像の表示タイミングに合わせて右眼用液晶シャッターを開くのではなく、右眼用画像（第２画像）のタイミングで左右両眼の液晶シャッターを開き、左眼用画像（第１画像）の表示タイミングでは、両眼の液晶シャッターを閉じる。よって、第２画像用制御では、ユーザは、第２画像のみが両眼にて見ることができる。
【００２８】
本発明の立体画像用メガネは、上記の少なくとも一方の制御を行うことができるため、画像表示装置が、立体表示用の画像だけでなく、第１画像と第２画像とを切り替えながら表示する装置であっても、対応して使用することができる。
【００２９】
この使用について、例えば、第１画像と第２画像とをゲームとニュースとである場合について説明する。ある人が本発明の立体画像用メガネを装着して、当該メガネが第１画像用制御を行うとゲームを見ることができ、他方、別の人は本発明の立体画像用メガネを装着して、当該メガネが第２画像用制御を行うとニュースを見ることができる。
【００３０】
このように、本発明によると、第１画像と第２画像とを切り替えながら表示する画像表示装置の画像を視認できる立体画像用メガネを提供できる。なお、上記構成は、１つの立体画像用メガネで、第１画像用制御と第２画像用制御との何れか一方の制御だけを行う立体画像用メガネだけでなく、両方の制御を同時には行わないが、両方の制御が可能な立体画像用メガネも含んでいる。
【００３１】
また、本発明の立体画像用メガネでは、上記構成に加え、（ａ）上記第１画像用制御、（ｂ）上記第２画像用制御、及び（ｃ）上記左眼用画像の表示タイミングに合わせて、上記左眼用レンズに設けられた液晶シャッターを開き、上記右眼用レンズに設けられた液晶シャッターを閉じ、かつ、上記右眼用画像の表示タイミングに合わせて、上記右眼用レンズに設けられた液晶シャッターを開き、上記左眼用レンズに設けられた液晶シャッターを閉る制御である立体画像用制御、のいずれか１つの制御を選択する選択部を備え、上記シャッター制御部は、上記選択部の選択に従って上記右眼用レンズ及び左眼用レンズに設けられた液晶シャッターの開閉の制御を行ってもよい。
【００３２】
上記構成によると、選択部により、上記第１画像用制御、上記第２画像用制御、上記立体画像用制御の何れかの制御を選択することができる。ここで、選択部は、ユーザから上記制御の何れかを選択する入力を受け付けるように構成されていてもよいし、画像表示装置あるいは他の装置から、上記制御の何れかを選択させるための信号を受信する構成であってもよい。
【００３３】
このように、本発明によると、立体表示用の画像を表示する画像表示装置だけでなく、第１画像と第２画像とを切り替えながら表示する画像表示装置の画像を視認できる、立体画像用メガネを提供できる。上記構成の立体画像用メガネを用いることで、ユーザは、立体画像、第１画像、第２画像、のうち、所望の画像を選択して見ることができる。
【００３４】
本発明の画像表示装置は、上記課題を解決するために、右眼用画像と左眼用画像とを切り替えながら表示する画像表示装置において、当該右眼用画像と左眼用画像との切り替えタイミング信号に従って、右眼用レンズに設けられた液晶シャッターと左眼用レンズに設けられた液晶シャッターとを開閉させる立体画像用メガネから、当該立体画像用メガネの状態を示す状態情報を受信する状態情報受信部と、上記受信した状態情報に基づき当該画像表示装置の制御を行う制御部と、を備えることを特徴としている。
【００３５】
上記構成によると、立体画像用メガネの状態を示す状態情報、例えば、立体画像用メガネの不具合や使用されている状況等の情報、を受信し、受信した状態情報に基づき画像表示装置の制御を行うことができる。例えば、画像表示装置が、受信した状態情報を表示や音声にて出力するよう制御をすると、ユーザに、立体画像用メガネの不具合や使用状況等の状態を通知することができる。そして、ユーザは、画像表示装置での出力により、立体画像用メガネの不具合や使用状況等の状態を確認でき、効率よく対処することができる。
【００３６】
また、例えば、立体画像用メガネが使用されていないことを示す状態情報を受信すると、画像表示装置の電源を切る制御を行ってもよい。反対に、使用されていることを示す状態情報を受信すると、画像表示装置の上記制御として、画像表示装置電源を入れる制御を行ってもよい。
【００３７】
このように、本発明の画像表示装置は、従来できなかった、画像表示装置にて、立体画像用メガネからの情報の受信し、受信した情報に基づき画像表示装置の制御を行うというものである。本発明によると、ユーザに、快適な視聴環境を提供することができる。
【００３８】
また、本発明の画像表示装置では、上記構成に加え、上記制御部は、上記状態情報に基づき当該画像表示装置での表示を制御する表示制御部を備えていてもよい。
【００３９】
上記構成によると、立体画像用メガネの状態を示す状態情報を受信し、受信した状態情報に基づき画像表示装置での表示の制御を行うことができる。よって、例えば、立体画像用メガネの状態情報を、画像表示装置にて表示すると、ユーザに注意を促すことができる。
【００４０】
また、本発明の画像表示装置では、上記構成に加え、上記受信部が、上記状態情報として上記立体画像用メガネには充電が必要である旨の情報を受信すると、上記表示制御部は、上記受信した状態情報に基づき、当該画像表示装置にて上記立体画像用メガネには充電が必要である旨の表示を行ってもよい。
【００４１】
上記構成によると、立体画像用メガネから、上記充電が必要である旨の情報を受信すると、画像表示装置にて立体画像用メガネには充電が必要である旨の表示を行うことができる画像表示装置を提供することができる。よって、立体画像用メガネのユーザに充電が必要な旨を通知することができる。
【００４２】
また、本発明の画像表示装置では、上記構成に加え、上記受信部が、上記状態情報と共に上記立体画像用メガネから上記立体画像用メガネの識別情報を受信すると、上記表示制御部は、上記受信した状態情報と共に識別情報の表示を行ってもよい。
【００４３】
上記構成によると、状態情報に対応する識別情報を受信すると、受信した状態情報と共に識別情報を表示することで、どの識別情報の立体画像用メガネについての状態情報なのかを表示することができる。よって、立体画像用メガネが複数ある場合に、どの立体画像用メガネへの状態情報なのかを、的確にユーザに伝達することができる。
【００４４】
ここで、識別情報は、立体画像用メガネに予め設定されているものでもよいし、立体画像用メガネと画像表示装置との情報交換により決定したものであってもよい。
【００４５】
また、本発明の画像表示装置では、上記構成に加え、上記受信部が、上記状態情報として上記立体画像用メガネがユーザに装着されていることを示す情報を受信すると、上記表示制御部は、右眼用画像と左眼用画像とを切り替えながら表示してもよい。
【００４６】
上記構成によると、立体画像用メガネがユーザに装着されていることを示す状態情報を受信すると、右眼用画像と左眼用画像とを切り替えながら表示する画像表示装置を提供することができる。
【００４７】
ここで、右眼用画像と左眼用画像とを切り替えない表示とは、立体画像用メガネの装着なしに、通常見える平面画像の表示である。また、右眼用画像と左眼用画像とを切り替えながらの表示には、立体画像の表示のほか、立体画像用の画像とは異なる２つの平面画像の表示が含まれる。
【００４８】
よって、例えば、画像表示装置が、右眼用画像と左眼用画像とを切り替えない表示中に、立体画像用メガネが装着されている旨の状態情報を受信すると、右眼用画像と左眼用画像とを切り替えながらの表示に、変更することができる。よって、ユーザ自身での変更操作が不要であり、使い勝手がよい環境を提供できる。なお、立体画像用メガネが装着されている状態とは、装着が始められる状態と、装着が続いている状態と、を含む。
【００４９】
あるいは、例えば、画像表示装置が、立体画像用メガネが装着されている旨の状態情報を受信すると、画像表示装置自身の電源を点けるようになっていても、ユーザにとって使い勝手がよい環境を提供できる。
【００５０】
また、本発明の画像表示装置では、上記構成に加え、上記受信部が、上記立体画像用メガネから、上記状態情報として、上記立体画像用メガネがユーザに装着されていないことを示す情報を受信すると、または、上記立体画像用メガネがユーザに装着されていることを示す情報を受信しないと、上記表示制御部は、右眼用画像と左眼用画像とを切り替えない平面画像を表示してもよい。
【００５１】
上記構成によると、立体画像用メガネがユーザに装着されていない旨の状態情報を受信すると、右眼用画像と左眼用画像とを切り替えない平面画像を表示する画像表示装置を提供することができる。
【００５２】
よって、例えば、画像表示装置が、右眼用画像と左眼用画像とを切り替えながらの表示中に、立体画像用メガネが装着されていない旨の状態情報を受信すると、右眼用画像と左眼用画像とを切り替えない表示に、変更することができる。よって、ユーザ自身での変更操作が不要であり、使い勝手がよい環境を提供できる。なお、立体画像用メガネが装着されていない旨の状態情報を受信する代わりに、立体画像用メガネが装着されている状態情報を受信しなくなると、上記の変更を行ってもよい。なお、立体画像用メガネが装着されていない状態とは、装着を終えた状態（立体画像用メガネを外す場合）と、装着していないのが続いている状態と、を含む。
【００５３】
あるいは、例えば、画像表示装置が、立体画像用メガネが装着されていない旨の状態情報を受信すると、画像表示装置自身の電源を消すようになっていても、ユーザにとって使い勝手がよい環境を提供できる。ここでも、立体画像用メガネが装着されていない状態情報を受信する代わりに、立体画像用メガネが装着されている状態情報を受信しなくなると、電源を消すようにしてもよい。
【００５４】
また、本発明の画像表示装置では、上記構成に加え、上記受信部が、複数の上記立体画像用メガネからの上記状態情報を受信し、受信した複数の上記状態情報の中に、１つでもユーザに装着されていることを示す状態情報が含まれていると、上記表示制御部は、右眼用画像と左眼用画像とを切り替えながら表示してもよい。
【００５５】
上記構成によれば、１つでもユーザに装着されていることを示す状態情報を受信すると、右眼用画像と左眼用画像とを切り替えながら表示する画像表示装置を提供できる。よって、１人でもユーザが立体画像用メガネを装着すると、画像表示装置にて自動的に右眼用画像と左眼用画像とを切り替えながら表示されるので、ユーザが変更あるいは選択の操作をする必要はないので、ユーザに取って使い勝手がよい。
【００５６】
また、本発明の画像表示装置では、上記構成に加え、上記受信部は、複数の上記立体画像用メガネから上記状態情報を受信し、受信した全ての上記状態情報に、ユーザに装着されていないことを示す状態情報が含まれている、または受信した全ての上記状態情報に、ユーザに装着されていることを示す状態情報が含まれてない、または、上記受信部が、１つも上記立体画像用メガネからユーザに装着されていることを示す状態情報を受信しないと、上記表示制御部は、右眼用画像と左眼用画像とを切り替えない平面画像を表示してもよい。
【００５７】
上記構成によると、受信した全ての状態情報に、ユーザに装着されていないことを示す状態情報が含まれている、または受信した全ての状態情報に、ユーザに装着されていることを示す状態情報が含まれてない、または、１つも画像表示用メガネからユーザに装着されていることを示す状態情報を受信しないと、右眼用画像と左眼用画像とを切り替えない平面画像を表示する画像表示装置を提供できる。
【００５８】
よって、複数の立体画像用メガネが１つも装着されていない場合には、画像表示装置にて自動的に右眼用画像と左眼用画像とを切り替えない平面画像の表示を行うので、ユーザが変更あるいは選択の操作をする必要はないので、ユーザに取って使い勝手がよい。
【００５９】
本発明の立体画像用メガネは、上記課題を解決するために、それぞれ液晶シャッターが設けられた右眼用レンズ及び左眼用レンズと、画像表示装置に表示される右眼用画像と左眼用画像との切り替えのタイミング信号を受信するタイミング信号受信部と、上記タイミング信号に従って、右眼用レンズに設けられた液晶シャッターと左眼用レンズに設けられた液晶シャッターとを開閉させるシャッター制御部と、（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、及び（ｃ）左眼用画像の表示タイミングに合わせて、上記左眼用レンズに設けられた液晶シャッターを開き、上記右眼用レンズに設けられた液晶シャッターを閉じ、かつ、右眼用画像の表示タイミングに合わせて、右眼用画像の表示タイミングに合わせて、上記右眼用レンズに設けられた液晶シャッターを開き、上記左眼用レンズに設けられた液晶シャッターを閉る制御である立体画像用制御、の何れか１つの制御を選択させる選択信号を受信する選択信号受信部と、を備え、上記シャッター制御部は、上記受信した選択信号によって、上記第１画像用制御、上記第２画像用制御、及び上記立体画像用制御、のいずれか１つを選択して上記右眼用レンズ及び左眼用レンズに設けられた液晶シャッターの開閉の制御を行うことを特徴としている。
【００６０】
上記構成によると、上記第１画像用制御、上記第２画像用制御、上記立体画像用制御、の何れか１つの制御を選択させる選択信号を受信すると、シャッター制御部は、受信した選択信号によって、上記３つの制御のうちいずれか１つの制御を選択して上記右眼用レンズ及び左眼用レンズに設けられた液晶シャッターの開閉の制御を行う。よって、外部装置（例えば画像表示装置）から立体画像用メガネに選択信号を送ることで、立体画像用メガネに対して、どのような制御を行えばよいかの指示をすることができる。
【００６１】
例えば、ゲームや劇場映画、講演その他、見る人の立場によって見せる画像を制御したい場合等に、好適に利用できる。このように、外部装置（例えば画像表示装置）からの選択信号に従って、立体画像だけでなく、左眼用画像（第１画像）、右眼用画像（第２画像）を、選択して見ることが可能な立体画像用メガネを提供することができる。よって、上記構成によると、ユーザの利便性を向上させ、ユーザに快適な視聴環境を提供することできる。
【００６２】
また、本発明の立体画像用メガネは、上記構成に加え、上記選択信号受信部が、上記選択信号と共に、上記選択を行う個体を示す識別情報を受信すると、上記シャッター制御部は、上記識別情報から、当該立体画像用メガネが上記選択を行う個体であるか否かを判断し、選択を行う個体であると判断した場合に、上記受信した選択信号に従って、上記第１画像用制御、上記第２画像用制御、及び上記立体画像用制御、のいずれか１つを選択して上記右眼用レンズ及び左眼用レンズに設けられた液晶シャッターの開閉の制御を行ってもよい。
【００６３】
上記構成によると、受信した識別情報から、当該立体画像用メガネが上記第１画像用制御、上記第２画像用制御、上記立体画像用制御、の何れか１つの制御の選択を行う個体であるか否かを判断し、選択を行う個体である場合には、受信した選択信号に従って、上記第１画像用制御、上記第２画像用制御、及び上記立体画像用制御、のいずれか１つを選択する。
【００６４】
よって、外部装置（画像表示装置でもよい）から、立体画像用メガネに、識別情報を送ることで、立体画像用メガネに対して、上記制御の選択を行う個体であるか否かを伝達することができる。
【００６５】
例えば、外部装置（画像表示装置でもよい）から、立体画像用メガネに対して、立体画像用メガネの識別情報Ａと共に立体画像用制御を選択させる選択信号を送信する場合を考える。この場合、識別情報Ａの立体画像用メガネは、受信した識別情報と選択信号とから、立体画像用制御を選択する。識別情報Ｂの立体画像用メガネは、受信した識別情報から、自身は選択しないものと理解することができる。
【００６６】
また、例えば、立体画像用メガネに対して、識別情報Ａと共に第１画像用制御を選択させる選択信号を送信し、かつ識別情報Ｂと共に第２画像用制御を選択させる場合を考える。この場合、識別情報Ａの立体画像用メガネは、受信した識別情報と選択信号とから、第１画像用制御を選択する。識別情報Ｂの立体画像用メガネは、受信した識別情報と選択信号とから、第２画像用制御を選択する。この場合の、立体画像用メガネでも見え方について、具体的に説明する。左眼用画像（第１画像）と右眼用画像（第２画像）とがゲームとニュースとであり、画像表示装置が、これらを交互に表示する場合を用いて説明する。外部装置（画像表示装置であってもよい）から、識別情報Ａと共に第１画像用制御を選択させる選択信号を送信し、かつ識別情報Ｂと共に第２画像用制御を選択させるとする。この場合、識別情報Ａの立体画像用メガネを装着している人（単数でも複数でも構わない）は、ゲームを見ることができる。また、識別情報Ｂの立体画像用メガネを装着している人（単数でも複数でも構わない）は、ニュースを見ることができる。
【００６７】
このように、識別情報の異なる複数の立体画像用メガネに対して、異なる選択信号が送信される場合に好適に利用される。
【００６８】
本発明の画像表示装置は、上記構成課題を解決するために、右眼用画像と左眼用画像とを切り替えながら表示する画像表示装置において、右眼用レンズに設けられた液晶シャッターと左眼用レンズに設けられた液晶シャッターとを開閉させる立体画像用メガネに対して、（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、及び（ｃ）左眼用画像の表示タイミングに合わせて、上記左眼用レンズに設けられた液晶シャッターを開き、上記右眼用レンズに設けられた液晶シャッターを閉じ、かつ、右眼用画像の表示タイミングに合わせて、右眼用画像の表示タイミングに合わせて、上記右眼用レンズに設けられた液晶シャッターを開き、上記左眼用レンズに設けられた液晶シャッターを閉る制御である立体画像用制御、のうちの何れか１つの制御を選択させるための選択信号を、送信する選択信号送信部を備えていてもよい。
【００６９】
上記構成によれば、立体画像用メガネに対して、上記第１画像用制御、上記第２画像用制御、及び上記立体画像用制御、のいずれか１つを選択させる信号を送る画像表示装置を提供することができる。よって、画像表示装置から、立体画像用メガネに、選択信号を送ることで、立体画像用メガネに対して、どのような制御を行えばよいかの指示をすることができる。
【００７０】
例えば、ゲームや劇場映画、講演その他、見る人の立場によって見せる画像を制御したい場合等に、好適に利用できる。このように、立体画像だけでなく、左眼用画像（第１画像）、右眼用画像（第２画像）を、選択させることが可能な画像表示装置を提供することができる。よって、上記構成によると、ユーザの利便性を向上させ、ユーザに快適な視聴環境を提供することできる。
【００７１】
また、本発明の画像表示装置は、上記構成に加え、上記選択信号送信部は、上記選択信号と共に、上記選択を行う個体であることを示す識別情報を、上記立体画像用メガネに対して送信してもよい。
【００７２】
上記構成によると、立体画像用メガネに識別情報を送ることで、立体画像用メガネに対して、上記制御の選択を行う個体であるか否かを伝達することができる。よって、画像表示装置から、識別情報の異なる複数の立体画像用メガネに対して、選択信号を送信する場合に好適に用いることができる。
【００７３】
本発明の画像表示システムは、上記課題を解決するために、それぞれ液晶シャッターが設けられた右眼用レンズ及び左眼用レンズと、上記画像表示装置に表示される右眼用画像と左眼用画像との切り替えのタイミング信号を受信する受信部と、上記タイミング信号に従って、右眼用レンズに設けられた液晶シャッターと左眼用レンズに設けられた液晶シャッターとを開閉させる制御を行うシャッター制御部と、を備えた立体画像用メガネと、右眼用画像と左眼用画像とを切り替えながら表示する画像表示装置と、を備え、上記立体画像用メガネは、上記画像表示装置に当該立体画像用メガネの状態を示す状態情報を送信する送信部、を備え、上記画像表示装置は、上記立体画像用メガネの状態を示す状態情報を受信する状態情報受信部と、上記受信した状態情報に基づき当該画像表示装置の制御を行う制御部と、を備えることを特徴としている。
【００７４】
上記構成によると、立体画像用メガネは、立体画像用メガネの状態を示す状態情報を画像表示装置に送信することができる。つまり、立体画像用メガネの不具合や使用されている状況等の情報を画像表示装置に伝達することができる。
【００７５】
そして画像表示装置は、立体画像用メガネの状態を示す状態情報、例えば、立体画像用メガネの不具合や使用されている状況等の情報、を受信し、受信した状態情報に基づき画像表示装置の制御を行うことができる。ここで、画像表示装置の制御が、例えば、受信した状態情報についての表示や音声等の出力制御であると、ユーザに、画像表示装置での出力により、立体画像用メガネの不具合や使用状況等の状態を通知することができる。そして、ユーザは、画像表示装置での出力により、立体画像用メガネの不具合や使用状況等の状態を確認でき、効率よく対処することができる。
【００７６】
このように、本発明の画像表示システムは、従来できなかった、立体画像用メガネから画像表示装置への通信を可能とするものである。また、画像表示装置にて、立体画像用メガネからの情報を受信し、受信した情報に基づき画像表示装置の制御を適切行うものである。本発明によると、ユーザの利便性を向上させ、ユーザに、快適な視聴環境を提供することができる。
【００７７】
本発明の画像表示システムは、上記課題を解決するために、それぞれ液晶シャッターが設けられた右眼用レンズ及び左眼用レンズと、上記画像表示装置に表示される右眼用画像と左眼用画像との切り替えのタイミング信号を受信するタイミング信号受信部と、上記タイミング信号に従って、右眼用レンズに設けられた液晶シャッターと左眼用レンズに設けられた液晶シャッターとを開閉させる制御を行うシャッター制御部と、を備えた立体画像用メガネと、右眼用画像と左眼用画像とを切り替えながら表示する画像表示装置と、を備え、
上記画像表示装置は、上記立体画像用メガネに対して、（ａ）上記左眼用画像の表示タイミングに合わせて、上記右眼用レンズ及び左眼用レンズに設けられた液晶シャッターを両方開き、かつ、上記右眼用画像の表示タイミングに合わせて、上記右眼用レンズ及び左眼用レンズに設けられた液晶シャッターを両方閉じる制御である第１画像用制御、（ｂ）上記右眼用画像の表示タイミングに合わせて、上記右眼用レンズ及び左眼用レンズに設けられた液晶シャッターを両方開き、かつ、上記左眼用画像の表示タイミングに合わせて、上記右眼用レンズ及び左眼用レンズに設けられた液晶シャッターを両方閉じる制御である第２画像用制御、及び（ｃ）左眼用画像の表示タイミングに合わせて、上記左眼用レンズに設けられた液晶シャッターを開き、上記右眼用レンズに設けられた液晶シャッターを閉じ、かつ、右眼用画像の表示タイミングに合わせて、右眼用画像の表示タイミングに合わせて、上記右眼用レンズに設けられた液晶シャッターを開き、上記左眼用レンズに設けられた液晶シャッターを閉る制御である立体画像用制御、のうちの何れか１つの制御を選択させるための選択信号を、送信する選択信号送信部を備え、上記立体画像用メガネは、上記選択信号を受信する選択信号受信部を備え、上記シャッター制御部は、上記受信した選択信号によって、上記第１画像用制御、上記第２画像用制御、及び上記立体画像用制御、のいずれか１つを選択して上記右眼用レンズ及び左眼用レンズに設けられた液晶シャッターの開閉の制御を行う、ことを特徴としている。
【００７８】
上記構成によると、画像表示装置は、立体画像用メガネに対して、上記第１画像用制御、上記第２画像用制御、及び上記立体画像用制御、のいずれか１つを選択させる信号を送ることができる。よって、画像表示装置から、立体画像用メガネに、選択信号を送ることで、立体画像用メガネに対して、どのような制御を行えばよいかの指示をすることができる。また、立体画像用メガネは、受信した選択信号によって、上記３つの制御のうちいずれか１つの制御を選択して上記右眼用レンズ及び左眼用レンズに設けられた液晶シャッターの開閉の制御を行うことができる。
【００７９】
上記構成は、例えば、ゲームや劇場映画、講演その他、見る人の立場によって見せる画像を制御するシステムに、好適に利用できる。このように、画像表示装置からの選択信号により、立体画像用メガネに、立体画像だけでなく、左眼用画像（第１画像）、右眼用画像（第２画像）を、選択させることが可能なシステムを提供することができる。よって、上記構成によると、ユーザの利便性を向上させ、ユーザに快適な視聴環境を提供することできる。よって、上記構成によると、ユーザの利便性を向上させ、ユーザに快適な視聴環境を提供することできる。
【００８０】
本発明の電子機器は、上記課題を解決するために、上記いずれか１つの立体画像用メガネを備えている。そのため、上記立体画像用メガネの効果と同様の効果を奏する電子機器を提供することがきる。本発明の立体画像用メガネは、様々な種類の電子機器に適用することができる。
【００８１】
本発明の電子機器は、上記課題を解決するために、上記いずれか１つの画像表示装置を備えている。そのため、上記画像表示装置の効果と同様の効果を奏する電子機器を提供することがきる。本発明の画像表示装置は、様々な種類の電子機器に適用することができる。
【００８２】
なお、本発明の立体画像用メガネの上記各部を制御する統括制御部を、コンピュータによって実現してもよく、この場合には、コンピュータを立体画像用メガネの上記各部を制御する統括制御部として動作させることにより、立体画像用メガネの統括制御部をコンピュータにて実現させるプログラム、及びそのプログラムを記録したコンピュータ読み取り可能な記録媒体も、本発明の範疇に入る。
【００８３】
同様に、本発明の画像表示装置の上記各部を制御する統括制御部を、コンピュータによって実現してもよく、この場合には、コンピュータを画像表示装置の上記各部を制御する統括制御部として動作させることにより、画像表示装置の統括制御部をコンピュータにて実現させるプログラム、及びそのプログラムを記録したコンピュータ読み取り可能な記録媒体も、本発明の範疇に入る。
【発明の効果】
【００８４】
以上のように、本発明の立体画像用メガネは、上記画像表示装置に当該立体画像用メガネの状態を示す状態情報を送信する送信部を備える。
【００８５】
上記構成によれば、立体画像用メガネの状態を示す状態情報を画像表示装置に送信することができる。つまり、立体画像用メガネの不具合や使用されている状況等の情報を画像表示装置に伝達することができる。そして、例えば、画像表示装置が受信した状態情報を表示や音声等で出力するようになっていると、ユーザは、画像表示装置での出力により、立体画像用メガネの不具合等の状態を確認でき、効率よく対処することができる。
【００８６】
このように、本発明の立体画像用メガネは従来できなかった、立体画像用メガネから画像表示装置への通信を可能とするものである。本発明の立体画像用メガネによると、ユーザに、立体画像用メガネの使い勝手がよく、快適な視聴環境を、提供することができる。
【００８７】
本発明の表示装置は、上記立体画像用メガネから、当該立体画像用メガネの状態を示す状態情報を受信する状態情報受信部と、上記受信した状態情報に基づき当該画像表示装置の制御を行う制御部と、を備える。
【００８８】
上記構成によると、立体画像用メガネの状態を示す状態情報、例えば、立体画像用メガネの不具合や使用されている状況等の情報、を受信し、受信した状態情報に基づき画像表示装置の制御を行うことができる。ここで、画像表示装置の制御が、例えば、受信した状態情報についての表示や音声等の出力制御であると、ユーザに、立体画像用メガネの不具合や使用状況等の状態を通知することができる。そして、ユーザは、画像表示装置での出力により、立体画像用メガネの不具合や使用状況等の状態を確認でき、効率よく対処することができる。
【００８９】
このように、本発明の画像表示装置は、従来できなかった、画像表示装置にて、立体画像用メガネからの情報の受信し、受信した情報に基づき画像表示装置の制御を行うというものである。本発明によると、ユーザに、快適な視聴環境を提供することができる。
【００９０】
本発明の画像表示システムは、以上のように、それぞれ液晶シャッターが設けられた右眼用レンズ及び左眼用レンズと、上記画像表示装置に表示される右眼用画像と左眼用画像との切り替えのタイミング信号を受信する受信部と、上記タイミング信号に従って、右眼用レンズに設けられた液晶シャッターと左眼用レンズに設けられた液晶シャッターとを開閉させる制御を行うシャッター制御部と、を備えた立体画像用メガネと、右眼用画像と左眼用画像とを切り替えながら表示する画像表示装置と、を備え、上記立体画像用メガネは、上記画像表示装置に当該立体画像用メガネの状態を示す状態情報を送信する送信部、を備え、上記画像表示装置は、上記立体画像用メガネの状態を示す状態情報を受信する状態情報受信部と、上記受信した状態情報に基づき当該画像表示装置の制御を行う制御部と、を備えている。
【００９１】
上記構成によると、立体画像用メガネは、立体画像用メガネの状態を示す状態情報を画像表示装置に送信することができる。つまり、立体画像用メガネの不具合や使用されている状況等の情報を画像表示装置に伝達することができる。
【００９２】
そして画像表示装置は、立体画像用メガネの状態を示す状態情報、例えば、立体画像用メガネの不具合や使用されている状況等の情報、を受信し、受信した状態情報に基づき画像表示装置の制御を行うことができる。ここで、画像表示装置の制御が、例えば、受信した状態情報についての表示や音声等の出力制御であると、ユーザに、画像表示装置での出力により、立体画像用メガネの不具合や使用状況等の状態を通知することができる。そして、ユーザは、画像表示装置での出力により、立体画像用メガネの不具合や使用状況等の状態を確認でき、効率よく対処することができる。
【００９３】
このように、本発明の画像表示システムは、従来できなかった、立体画像用メガネから画像表示装置への通信を可能とするものである。また、画像表示装置にて、立体画像用メガネからの情報の受信し、受信した情報に基づき画像表示装置の制御を適切行うものである。本発明によると、ユーザの利便性を向上させ、ユーザに、快適な視聴環境を提供することができる。
【図面の簡単な説明】
【００９４】
【図１】本発明に係る立体画像用メガネの一実施形態の概略構成を示すブロック図である。
【図２】本発明に係る画像表示装置の一実施形態の概略構成を示すブロック図である。
【図３】本発明に係る立体画像用メガネ及び画像表示装置を備えた画像表示システムを示す構成図である。
【図４】本発明に係る複数の立体画像用メガネ及び画像表示装置を備えた画像表示システムを示す構成図である。
【図５】本発明に係る立体画像用メガネの他の実施形態の概略構成を示すブロック図である。
【図６】立体画像の表示と、第１画像及び第２画像の表示と、を説明する説明図である。
【図７】本発明に係る立体画像用メガネのさらに別の実施形態の概略構成を示すブロック図である。
【図８】従来の立体画像用メガネの斜視図である。
【図９】図８の立体視用メガネの断面図である。
【図１０】従来の別の立体画像用メガネを備えた画像表示システムを示す図である。
【図１１】従来の画像表示システムの概略構成を示すブロック図である本発明のシステムの第２６実施形態を示す簡略構成図である。
【発明を実施するための形態】
【００９５】
本発明に係る立体画像用メガネ、画像表示装置、画像表示システムの実施形態について、図１〜図１１を参照して説明すれば、以下のとおりである。
【００９６】
〔実施の形態１〕
（立体画像用メガネ）
本実施形態の立体画像用メガネ１００は、図３に示すように、右眼用液晶シャッター１が設けられた右眼用レンズと、左眼用液晶シャッター２が設けられた左眼用レンズとを備えている。立体画像用メガネ１００を用いた立体視は、次のように行われる。画像表示装置にて右眼用画像と左眼用画像とを時間的に交互に表示されると、立体画像用メガネ１００では、右眼用画像が表示される間は右眼用液晶シャッター１のみが開く。一方、左眼用画像が表示される間は左眼用液晶シャッター２のみが開く。これらを繰り返すことにより、立体画像用メガネ１００を装着したユーザは、立体画像を見ることができる。
【００９７】
さらに詳しくは、立体画像用メガネ１００は、図１に示すように、右眼用液晶シャッター１と、左眼用液晶シャッター２と、液晶駆動部３と、制御部５と、送信部９１０と受信部９２０とアンテナ１１とを備えた信号送受信部９と、を備えている。
【００９８】
送信部９１０はアンテナ１１を介して外部に情報を送信するブロックであり、受信部９２０は、アンテナ１１を介して外部からの情報を受信するブロックである。
【００９９】
受信部９２０は、後述する画像表示装置３００に表示される右眼用画像と左眼用画像との切り替えのタイミング信号を受信する。本実施形態では、切り替えタイミング信号は、画像表示装置３００から送信されるものとして説明するが、他の装置から送信されるようになっていてもよい。
【０１００】
送信部９１０は、画像表示装置３００に、立体画像用メガネ１００の状態を示す状態情報を送信する。この状態情報の送信については後述で詳細に説明する。
【０１０１】
ここで、立体画像用メガネ１００には、リモコンのような一方向の伝送でなく、双方向の通信が可能な方式が用いられる。例えば、USB規格に従った有線通信方式や、ブルートゥース規格やZigbee規格に従った無線通信方式を用いることができる。なお、メガネの場合、掛けたまま移動できる無線通信方式の方が好ましい。特にZigbee規格は、伝送速度は遅いが、装置を小型化できるため立体画像用メガネに適した通信規格である。なお、有線規格でもUSB規格の場合は、充電用の端子を兼用することができるという利点がある。
【０１０２】
制御部５は、立体画像用メガネ１００における各ブロックを統括的に制御する。また、制御部５は、シャッター制御部５１を備えており、シャッター制御部５１は、受信部９２０が受信したタイミング信号に従って、液晶駆動部３を制御して、右眼用液晶シャッター１と左眼用液晶シャッター２とを開閉させる制御を行う。液晶駆動部３は、右眼用液晶シャッター１及び左眼用液晶シャッター２を開閉させる処理を行うブロックである。なお液晶駆動部３にシャッター制御部５１が備えられており、制御部５からシャッター制御部５１を制御するようになっていてもよい。
【０１０３】
本実施形態では、制御部５は、記憶部６、外部とのインターフェイス７と共に、制御用ＩＣ４として構成されているものとする。記憶部６は、例えば、ＲＯＭであり、立体画像用メガネ１００における各種制御プログラムを記憶している。この各種制御プログラムに従って、制御部５が、立体画像用メガネ１００における各ブロックを統括的に制御する。
【０１０４】
また、立体画像用メガネは、バッテリー（充電池）８、充電部１３、電圧検出部１４とを備える。充電部１３、電圧検出部１４は、制御部５に設けられていてもよい。
【０１０５】
バッテリー８は、立体画像用メガネ全体の電源である。充電部１３は、バッテリー８の充電を制御するブロックであり、ここでは、充電回路として構成されている。また、電圧検出部１４は、バッテリー８の電圧を検出するブロックである。
【０１０６】
また、図３に示すように、立体画像用メガネ１００はメガネフレーム２３を有している。このメガネフレーム２３に、右眼用液晶シャッター１を備えた右眼用レンズ１０１、左眼用液晶シャッター２を備えた左眼用レンズ１０２、バッテリー８、回路基板２２が、取り付けられている。右眼用液晶シャッター１、左眼用液晶シャッター２、バッテリー８、回路基板２２は、フレキシブル基板２４にて、電気的に接続されている。回路基板２２に、液晶駆動部３、制御用ＩＣ４、信号送受信部９が備えられている。電圧検出部１４と充電部１３とは、図３の回路基板２２に設けられていてもよいし、バッテリー８付近に設けられていてもよい。
【０１０７】
上記のように、本実施の形態の立体画像用メガネ１００は、立体画像用メガネ１００の状態を示す状態情報を画像表示装置３００に送信することができる。つまり、立体画像用メガネ１００の不具合や使用されている状況等の情報を画像表示装置３００に伝達することができる。
【０１０８】
このように、立体画像用メガネ１００は、従来できなかった、立体画像用メガネから画像表示装置への通信を可能とする。立体画像用メガネ１００によると、ユーザに、立体画像用メガネの使い勝手がよく、快適な視聴環境を、提供することができる。
【０１０９】
具体的には、本実施形態では、電圧検出部１４がバッテリー８の電圧が定めた充電が必要となる電圧より低下したことを検出した場合、送信部９１０から画像表示装置３００に、上記状態情報として立体画像用メガネ１００に充電が必要である旨の情報を送信する。なお、状態情報の送信は、制御部５が信号送受信部９を制御して行う。
【０１１０】
よって、立体画像用メガネ１００によると、立体画像用メガネ１００に充電が必要である旨の情報を画像表示装置３００に伝達できる立体画像用メガネを提供することができる。
【０１１１】
また、制御部５が、立体画像用メガネ１００の連続使用時間を検知し、送信部９１０から画像表示装置３００に、上記状態情報として立体画像用メガネ１００の連続使用時間を送信するような構成であってもよい。
【０１１２】
これらように、画像表示装置３００に送信する立体画像用メガネ１００の状態を示す状態情報は、立体画像用メガネ１００に関する情報であれば、どのような情報であってもよい。
【０１１３】
（画像表示装置）
本実施形態の画像表示装置３００は、図３に示すように、筐体３９０、表示部（表示パネル）３７、外部との通信を行う通信部３１、表示部３７に表示する画像を処理する画像処理部３２、及び電源部３８を有する。また、音声を出力する音声出力部４０を備えている。画像表示装置３００は、表示部３７に、右眼用画像と左眼用画像とを切り替えながら、つまり、右眼用画像と左眼用画像と時間的に交互に、表示することが可能に設けられている。
【０１１４】
通信部３１は、図２に示すように、通信制御を行う通信制御部４２、外部とのインターフェイス４３、通信部３１における各種データを記憶する通信記憶部４４、送信部４６と受信部４７とアンテナ４８とを備えた送受信部４５を備えている。
【０１１５】
通信制御部４２は、通信部３１における各ブロックを統括的に制御するブロックである。通信記憶部４４は、例えば、ＲＯＭであり、通信部３１における各種制御プログラムを記憶している。この各種制御プログラムに従って、通信制御部４２が、通信部３１における各ブロックを統括的に制御する。
【０１１６】
送信部４６はアンテナ４８を介して外部に情報を送信するブロックであり、受信部４７は、アンテナ４８を介して外部からの情報を受信するブロックである。
【０１１７】
送信部４６は、右眼用画像と左眼用画像との切り替えタイミング信号を立体画像用メガネ１００に送信する。
【０１１８】
受信部４７は、立体画像用メガネ１００から、立体画像用メガネ１００の状態を示す状態情報を受信する。
【０１１９】
画像処理部３２は、図２に示すように、通信部３１との通信を行うインターフェイス３３、制御部３４、記憶部３５、表示処理部３６、音声処理部３９を備えている。
【０１２０】
制御部３４は、画像処理部３２における各ブロックを統括的に制御する。また、制御部３４は、受信部４７にて受信した立体画像用メガネ１００の状態情報に基づき、画像表示装置３００の制御を行う。この制御の詳細については後述する。また、制御部３４は、表示に関する制御を行う表示制御部３４１を備えている。表示制御部３４１は、受信部４７にて受信した立体画像用メガネ１００の状態情報に基づき画像表示装置３００の表示部３７での表示の制御を行う。なお、通信部３１の通信制御部４２が、画像処理部３２の制御部３４と一体に設けられていてもよい。
【０１２１】
記憶部３５は、例えば、ＲＯＭであり、画像処理部３２における各種制御プログラムを記憶している。この各種制御プログラムに従って、制御部３４が、画像処理部３２における各ブロックを統括的に制御する。
【０１２２】
表示処理部３６は、表示制御部３４１の制御に従い、表示部３７にて出力する画像に関する処理を行うブロックである。
【０１２３】
音声処理部３９は、音声出力部４０で出力する音声に関する処理を行うブロックである。
【０１２４】
本実施形態の画像表示装置３００によると、立体画像用メガネ１００の状態を示す状態情報、例えば、立体画像用メガネの不具合や使用されている状況等の情報、受信部４７にて受信する。そして、受信した状態情報に基づき、制御部３４にて画像表示装置３００の制御を行うことができる。
【０１２５】
ここで、画像表示装置３００の制御が、例えば、受信した状態情報についての表示あるいは音声の出力制御であるとする。この場合、ユーザに、立体画像用メガネ１００の不具合や使用状況等の状態を、表示部３７での表示あるいは音声出力部４０での出力により、通知（注意、警告）することができる。そして、ユーザは、表示あるいは音声出力により、立体画像用メガネ１００の不具合や使用状況等の状態を確認でき、効率よく対処することができる。
【０１２６】
また、例えば、制御部３４は、立体画像用メガネ１００が使用されていないことを示す状態情報を受信すると、画像表示装置の電源部３８をＯＦＦにする制御を行ってもよい。反対に、制御部３４は、立体画像用メガネ１００が使用されていることを示す状態情報を受信すると、電源部３８をＯＮにする制御を行ってもよい。これらのように、画像表示装置３００での制御は、状態情報に基づくものであれば、どのような制御であってもよい。
【０１２７】
以上のように、画像表示装置３００は、従来できなかった、画像表示装置３００にて、立体画像用メガネ１００からの情報の受信し、受信した情報に基づき画像表示装置３００の制御を行う。よって、ユーザに、快適な視聴環境を提供することができる。
【０１２８】
具体的に、本実施形態では、受信部４７が状態情報として立体画像用メガネ１００のバッテリー８に充電が必要である旨の情報を受信すると、表示制御部３４１は、表示部３７にて、立体画像用メガネ１００のバッテリー８に充電が必要である旨の情報を表示する。よって、表示により、ユーザに、立体画像用メガネ１００のバッテリー８に充電が必要である旨の通知（注意、警告）することができる。なお、状態情報の表示を、画像表示装置３００の全体の表示パネルである表示部３７以外に、状態情報専用の表示部が設けられているような場合、その状態情報専用の表示部に表示してもよい。
【０１２９】
この表示により、ユーザは、例えば、映画やスポーツ中継などの長時間のコンテンツを視聴する場合、立体画像用メガネ１００のバッテリー８の充電残量が十分かどうかを判断できる。そこで、不足する場合は立体画像用メガネを取り替えたり、バッテリー８を取り替えたり、バッテリー８に充電したりする等適切な対応を行える。
【０１３０】
また、受信部４７が、立体画像用メガネ１００の連続使用時間を受信すると、表示制御部３４１が、表示部３７に、連続使用時間を表示したり、警告を表示したりすることも可能である。
【０１３１】
（画像表示システム）
本実施形態の画像表示システム２００は、図３に示すように、本実施形態の立体画像用メガネ１００と、本実施形態の画像表示装置３００とを備えている。
【０１３２】
画像表示システム２００は、従来できなかった、立体画像用メガネ１００から画像表示装置３００への通信を可能とするものである。また、画像表示装置３００にて、立体画像用メガネからの情報を受信し、受信した情報に基づき画像表示装置の制御を適切行うものである。よって、画像表示システム２００は、ユーザに、立体画像用メガネ１００の使い勝手がよく、快適な視聴環境を、提供できる。
【０１３３】
例えば、立体画像用メガネ１００から、立体画像用メガネ１００のバッテリー８に充電が必要である旨の状態情報を、画像表示装置３００に送ることができる。そして、画像表示装置３００では、立体画像用メガネ１００のバッテリー８が充電を必要としている旨の表示を行うことができる。
【０１３４】
〔実施の形態２〕
（立体画像用メガネ）
実施の形態２の立体画像用メガネ１００は、図１に示すように、ＩＤ設定部１５を備えている。これ以外の構成は、実施の形態１で説明した立体画像用メガネ１００と同様の構成である。同じ構成については説明を省略する。
【０１３５】
ＩＤ設定部１５は、ビットスイッチなどで構成され、立体画像用メガネを識別するＩＤを設定するブロックである。
【０１３６】
本実施形態の立体画像用メガネ１００は、状態情報に対応付けて立体画像用メガネ１００のＩＤ（識別情報）を画像表示装置３００に送信する。よって、複数の立体画像用メガネ１００が使用されている際に、画像表示装置３００に、どの立体画像用メガネからの状態情報であるかを認識させることができる。
【０１３７】
立体画像用メガネ１００から送信するＩＤは、上記ＩＤ設定部１５にて設定してもよい。あるいは、画像表示装置３００から、通信する立体画像用メガネの数量などの状況より決定したＩＤを、画像表示装置３００の受信部４７にて受信して、記憶しておいたものでもよい。
【０１３８】
（画像表示装置）
実施の形態２の画像表示装置３００は、図２に示され、実施の形態１の画像表示装置３００と同様の構成である。同じ構成については説明を省略する。
【０１３９】
実施の形態２の画像表示装置３００の通信部３１は、さらに、図４に示すように、複数の本実施形態の立体画像用メガネ１００と通信することが可能である。もちろん１つの本実施形態の立体画像用メガネ１００と通信することもできる。
【０１４０】
そして、本実施形態の画像表示装置３００は、上記状態情報に加え、上記状態情報に対応する立体画像用メガネ１００のＩＤも受信する。そして、本実施形態の表示制御部３４１は、受信したＩＤ情報を、受信した状態情報と共に表示部３７に表示する。
【０１４１】
このように、ＩＤと共に識別情報を受信すると、受信した状態情報と共にＩＤを表示することで、異なるＩＤを有する複数の立体画像用メガネのうち、どのＩＤの立体画像用メガネの状態情報なのかを表示することができる。よって、立体画像用メガネ１００が複数あっても、どの立体画像用メガネへの状態情報なのかを、的確にユーザに伝達することができる。もちろん、１つの立体画像用メガネ１００から、状態情報と共にＩＤを受信し、その状態情報と共にＩＤを表示することもできる。
【０１４２】
ここで、ＩＤは、立体画像用メガネ１００が予め有しているものであっても、画像表示装置３００が割り振って立体画像用メガネ１００に送信することで与えるものであってもよい。
【０１４３】
（画像表示システム）
実施の形態２の画像表示システム２００は、図４に示すように、複数の本実施形態の立体画像用メガネ１００と、本実施形態の画像表示装置３００とを備えている。また、図３に示すように、本実施形態の立体画像用メガネ１００と、本実施形態の画像表示装置３００とを備えていてもよい。
【０１４４】
この画像表示システム２００によれば、立体画像用メガネ１００が、状態情報と共に立体画像用メガネ１００のＩＤを立体画像用メガネ１００が送信し、画像表示装置３００が受信して、表示部３７に受信した状態情報と共にＩＤを表示する。よって、どのＩＤの立体画像用メガネの状態情報なのかを表示することができる。
【０１４５】
例えば、状態情報が、バッテリー８が充電を必要としている旨の情報である場合、どのＩＤの立体画像用メガネ１００のバッテリー８が充電を必要としているか、の情報が得られる。そして、状態情報と共にＩＤを表示することで、どのＩＤの立体画像用メガネ１００のバッテリー８が充電の必要があるかを、ユーザへ知らせることができる立体映像表示システムを提供できる。
【０１４６】
〔実施の形態３〕
（立体画像用メガネ）
実施の形態３の立体画像用メガネ１００は、図１に示すように、電源用スイッチ（装着検知部、電源スイッチ）１２を備えている。これ以外の構成は、実施の形態１で説明した立体画像用メガネ１００と同様の構成である。同じ構成については説明を省略する。
【０１４７】
電源用スイッチ１２は、立体画像用メガネ１００に電流を流すためのスイッチである。
【０１４８】
本実施形態の立体画像用メガネ１００は、立体画像用メガネ１００の状態を示す状態情報として、電源用スイッチ１２の入切の情報を、画像表示装置３００に送信する。または、電源用スイッチの入切により、立体画像用メガネがユーザに装着されているか否かを検知して、この検知結果を状態情報として送ってもよい。なお、電源用スイッチ１２の切の情報とは、電源用スイッチ１２を入っていたのを切った情報と、切っている状態が続いている状態と、を含む。また、電源用スイッチ１２の入の情報とは、電源用スイッチ１２を切っていたのを入れた情報と、入っている状態が続いている情報と、を含む。
【０１４９】
よって、本発明の立体画像用メガネ１００によると、立体画像用メガネ１００がユーザに装着されているか否か、あるいは、立体画像用メガネ１００の電源が入っているか否かを、画像表示装置３００に送信できる立体画像用メガネを提供することができる。
【０１５０】
（立体画像用メガネの変形例）
実施の形態３の変形例の立体画像用メガネ１００ａは、図５に示すように、センサー（装着検知部）４１を備えている。これ以外の構成は、実施の形態１で説明した立体画像用メガネ１００と同様の構成である。同じ構成については説明を省略する。
【０１５１】
センサー４１は、立体画像用メガネがユーザに装着されているか否かを検知するものである。センサー４１は、光学的センサーである。例えば赤外線反射方式の近接センサー、光電センサーや三角測量原理を利用した測距センサー、であってもよい。または、センサー４１は、静電容量センサーであってもよい。
【０１５２】
画像表示装置３００ａは、センサー４１の検知により、立体画像用メガネがユーザに装着されているか否かを検知して、この検知結果を状態情報として、送信部９１０から、送信する。
【０１５３】
ここで、センサー４１が、光学的センサーであれば、センサー４１をメガネフレーム２３の内側に取り付け、ユーザの顔の一部がある距離以下に近づいていることを検知した場合に、立体画像用メガネ１００がユーザに装着されていることを検知する。ユーザの顔の一部がある距離より離れていることを検知した場合には、立体画像用メガネ１００がユーザに装着されていないことを検知する。
【０１５４】
また、センサー４１が、静電容量センサーであれば、メガネフレーム２３の内側の、例えば、鼻、頬、耳などが確実に触れる部分に取り付け、ユーザの顔の一部がセンサー４１に触れた場合に、立体画像用メガネ１００がユーザに装着されていることを検知する。反対にユーザの顔がセンサー４１から離れた場合に、立体画像用メガネ１００がユーザに装着されていないことを検知する。
【０１５５】
よって、立体画像用メガネ１００ａは、立体画像用メガネ１００ａがユーザに装着されているか否かの情報を、画像表示装置３００に送信できる立体画像用メガネを提供することができる。
【０１５６】
なお、立体画像用メガネ１００ａが装着されている状態とは、装着が始められる状態と、装着が続いている状態と、を含む。立体画像用メガネ１００ａが装着されていない状態とは、装着を終えた状態（立体画像用メガネを外す場合）と、装着していないのが続いている状態と、を含む。
【０１５７】
（画像表示装置）
実施の形態３の画像表示装置３００は、図２に示され、実施の形態１の画像表示装置３００と同様の構成である。同じ構成については説明を省略する。
【０１５８】
本実施形態の画像表示装置３００では、受信部４７が、立体画像用メガネ１００（または１００ａ）から、上記状態情報として立体画像用メガネ１００（または１００ａ）がユーザに装着されていることを示す情報を受信する。そして、表示制御部３４１が、右眼用画像と左眼用画像とを切り替えながら表示する。なお、立体画像用メガネ１００から、電源が入っている旨の状態情報を受信した場合に、表示制御部３４１は、右眼用画像と左眼用画像とを切り替えながら表示をしてもよい。
【０１５９】
ここで、右眼用画像と左眼用画像とを切り替えない表示とは、立体画像用メガネの装着なしに、通常見える平面画像の表示である。また、右眼用画像と左眼用画像とを切り替えながらの表示には、立体画像の表示のほか、立体画像用の画像とは異なる２つの平面画像の表示が含まれる。
【０１６０】
よって、例えば、画像表示装置３００が、右眼用画像と左眼用画像とを切り替えない表示中に、立体画像用メガネが装着されている旨の状態情報を受信すると、右眼用画像と左眼用画像とを切り替えながらの表示に、変更することができる。よって、ユーザ自身での変更操作が不要であり、使い勝手がよい環境を提供できる。
【０１６１】
あるいは、例えば、画像表示装置が、立体画像用メガネが装着されている旨の状態情報を受信すると、画像表示装置自身の電源を点けるようになっていても、ユーザにとって使い勝手がよい環境を提供できる。
【０１６２】
また、本実施形態の画像表示装置３００では、受信部４７が、立体画像用メガネ１００（または１００ａ）から、上記状態情報として立体画像用メガネ１００（または１００ａ）がユーザに装着されていないことを示す情報を受信すると、または、立体画像用メガネ１００（または１００ａ）がユーザに装着されていることを示す情報を受信しないと、表示制御部３４１は、右眼用画像と左眼用画像とを切り替え切り替えない平面画像を表示する。なお、立体画像用メガネ１００から、電源が入っていない旨の状態情報を受信した場合に、表示制御部３４１は、右眼用画像と左眼用画像とを切り替えない平面画像を表示してもよい。
【０１６３】
よって、例えば、画像表示装置３００が、右眼用画像と左眼用画像とを切り替えながらの表示中に、立体画像用メガネ１００（または１００ａ）が装着されていない旨の状態情報を受信すると、右眼用画像と左眼用画像とを切り替えない表示に、変更できる。よって、ユーザ自身での変更操作が不要であり、使い勝手がよい環境を提供できる。なお、立体画像用メガネ１００（または１００ａ）が装着されていない旨の状態情報を受信する代わりに、立体画像用メガネ１００（または１００ａ）が装着されている状態情報を受信しなくなると、上記の変更を行ってもよい。なお、立体画像用メガネ１００（または１００ａ）が装着されていない状態とは、装着を終えた状態（立体画像用メガネを外す場合）と、装着していないのが続いている状態と、を含む。
【０１６４】
（画像表示システム）
実施の形態３の画像表示システム２００は、図３に示すように、本実施形態の立体画像用メガネ１００（または１００ａ）と、本実施形態の画像表示装置３００とを備えている。
【０１６５】
この画像表示システム２００によれば、ユーザが、立体画像用メガネ１００（または１００ａ）を装着すると、画像表示装置３００にて自動的に右眼用画像と左眼用画像とを切り替えながらの表示を行う。よって、ユーザ自身での変更操作が不要であり、使い勝手がよい。右眼用画像と左眼用画像との表示が立体画像用の表示であれあれば、立体画像用メガネ１００（または１００ａ）を装着したユーザ自身での変更操作なく、立体画像を見ることができる。
【０１６６】
また、この画像表示システム２００によれば、ユーザが、立体画像用メガネ１００（または１００ａ）の装着を外すと、画像表示装置３００にて自動的に右眼用画像と左眼用画像とを切り替えない平面画像の表示を行う。よって、ユーザ自身での変更操作が不要であり、使い勝手がよい。
【０１６７】
〔実施の形態４〕
（立体画像用メガネ）
実施の形態４の立体画像用メガネ１００（または１００ａ）は、実施の形態３の立体画像用メガネ１００（または１００ａ）と同様の構成である。よって、説明を省略する。
【０１６８】
（画像表示装置）
実施の形態４の画像表示装置３００は、図２に示され、実施の形態３の画像表示装置３００と同様の構成である。同じ構成については説明を省略する。
【０１６９】
本実施形態の画像表示装置３００では、さらに、通信部３１が、図４に示すように、複数の本実施形態の立体画像用メガネ１００（または１００ａ）と通信することが可能である。そして、受信部４７は、複数の上記立体画像用メガネからの状態情報を受信し、受信した複数の状態情報の中に、１つでもユーザに装着されていることを示す状態情報が含まれていると、表示制御部３４１は、右眼用画像と左眼用画像とを切り替えながら表示する。
【０１７０】
よって、１人でもユーザが立体画像用メガネ１００（または１００ａ）を装着すると、画像表示装置３００にて自動的に右眼用画像と左眼用画像とを切り替えながら表示される。例えば、右眼用画像と左眼用画像との表示が立体画像用の表示であれあれば、立体画像用メガネ１００（または１００ａ）を装着したユーザ自身での変更操作なく、立体画像を見ることができる。
【０１７１】
また、本実施形態の画像表示装置３００では、受信部４７が受信した全ての状態情報に、ユーザに装着されていないことを示す状態情報が含まれている、または受信した全ての状態情報に、ユーザに装着されていることを示す状態情報が含まれてない、または、受信部４７が、１つも画像表示用メガネからユーザに装着されていることを示す状態情報を受信しないと、上記表示制御部は、右眼用画像と左眼用画像とを切り替えない平面画像を表示する。
【０１７２】
よって、複数の立体画像用メガネ１００（または１００ａ）が１つも装着されていない場合には、画像表示装置３００にて自動的に右眼用画像と左眼用画像とを切り替えない平面画像を表示を行う。よって、のユーザが変更あるいは選択の操作をする必要はないので、ユーザに取って使い勝手がよい。
【０１７３】
（画像表示システム）
実施の形態４の画像表示システム２００は、図４に示すように、複数の本実施形態の立体画像用メガネ１００（または１００ａ）と、本実施形態の画像表示装置３００とを備えている。
【０１７４】
この画像表示システム２００によれば、ユーザが、１人でも立体画像用メガネ１００（または１００ａ）を装着すると、画像表示装置３００にて自動的に右眼用画像と左眼用画像とを切り替えながらの表示を行う。よって、ユーザ自身での変更操作が不要であり、使い勝手がよい。右眼用画像と左眼用画像との表示が立体画像用の表示であれあれば、立体画像用メガネ１００（または１００ａ）を装着したユーザ自身での変更操作なく、立体画像を見ることができる。
【０１７５】
また、この画像表示システム２００によれば、ユーザが、全員立体画像用メガネ１００（または１００ａ）の装着を外すと、画像表示装置３００にて自動的に右眼用画像と左眼用画像とを切り替えない平面画像の表示を行う。よって、ユーザ自身での変更操作が不要であり、使い勝手がよい。
【０１７６】
〔実施の形態５〕
（立体画像用メガネ）
実施の形態５の立体画像用メガネ１００は、実施の形態１の立体画像用メガネ１００と同様の構成である。よって、説明を省略する。
【０１７７】
本実施形態の立体画像用メガネ１００は、さらに、シャッター制御部５１が、
（ａ）画像表示装置３００の左眼用画像の表示タイミングに合わせて、右眼用液晶シャッター１及び左眼用液晶シャッター２を両方開き、かつ、右眼用画像の表示タイミングに合わせて、右眼用液晶シャッター１及び左眼用液晶シャッター２を両方閉じる制御である第１画像用制御
（ｂ）画像表示装置３００の右眼用画像の表示タイミングに合わせて、右眼用液晶シャッター１及び左眼用液晶シャッター２を両方開き、かつ、左眼用画像の表示タイミングに合わせて、右眼用液晶シャッター１及び左眼用液晶シャッター２を両方閉じる制御である第２画像用制御
の少なくとも一方の制御を行う。
【０１７８】
本実施形態の立体画像用メガネ１００では、第１画像用制御により、左眼用画像の表示タイミングに合わせて左眼用液晶シャッター２を開くのではなく、左眼用画像（画像Ａ）の表示タイミングで左右両眼の液晶シャッター１，２を開き、右眼用画像（画像Ｂ）の表示タイミングでは、両眼の液晶シャッター１，２を閉じる。よって、第１画像用制御では、ユーザは、画像Ａのみが両眼にて見ることができる。反対に、第２画像用制御では、右眼用画像の表示タイミングに合わせて右眼用液晶シャッター１を開くのではなく、右眼用画像（画像Ｂ）の表示タイミングで左右両眼の液晶シャッター１，２を開き、左眼用画像（画像Ａ）の表示タイミングでは、両眼の液晶シャッター１，２を閉じる。よって、第２画像用制御では、ユーザは、画像Ｂのみが両眼にて見ることができる。
【０１７９】
本実施形態の立体画像用メガネ１００は、上記の少なくとも一方の制御を行うことができるため、画像表示装置３００が、立体画像だけでなく、画像Ａと画像Ｂとを切り替えながら表示する装置であっても、対応して使用することができる。
【０１８０】
ここで、図６に、立体画像用メガネ１００の液晶シャッター１，２の開閉と、画像表示装置３００に表示される画像との関係を示す。図６に示す立体画像用メガネＡ、Ｂは、立体画像用の画像の切り替えに対応している。つまり、画像表示装置３００で、立体画像用の画像を時間的に交互に表示していると、立体画像用メガネＡ、Ｂを用いると立体画像を見ることができる。また、画像表示装置３００で、画像Ａと画像Ｂとを時間的に交互に表示していると、図６に示す立体画像用メガネＡは、画像Ａを見ることができ、立体画像用メガネＢは，画像Ｂを見ることができる。
【０１８１】
本実施形態の立体画像用メガネ１００の使用について、例えば、画像Ａと画像Ｂとをゲームとニュースとである場合について説明する。ある人が本実施形態の立体画像用メガネ１００を装着して、当該メガネが第１画像用制御を行うと（図６の立体画像用メガネＡを用いると）ゲームを見ることができる。他方、別の人は本実施形態の立体画像用メガネ１００を装着して、当該メガネが第２画像用制御を行うと（図６の立体画像用メガネＢを用いると）、ニュースを見ることができる。
【０１８２】
このように、本実施形態によると、第１画像と第２画像とを切り替えながら表示する画像表示装置の画像を視認できる立体画像用メガネを提供できる。なお、上記構成は、１つの立体画像用メガネ１００で、第１画像用制御と第２画像用制御との何れか一方の制御だけを行う立体画像用メガネ１００だけでなく、両方の制御を同時には行わないが、両方の制御が可能な立体画像用メガネ１００も含んでいる。
【０１８３】
〔実施の形態６〕
実施の形態６の変形例の立体画像用メガネ１００ｂは、図７に示すように、表示モード設定スイッチ５１０を備えている。これ以外の構成は、実施の形態１で説明した立体画像用メガネ１００と同様の構成である。同じ構成については説明を省略する。
【０１８４】
本実施形態の立体画像用メガネ１００ｂは、さらに、表示モード設定スイッチ（選択部）５１０を備える。表示モード設定スイッチ５１０は、
（ａ）上記実施の形態５で説明した第１画像用制御
（ｂ）上記実施の形態５で説明した第２画像用制御
（ｃ）画像表示装置３００の左眼用画像の表示タイミングに合わせて、左眼用液晶シャッター２を開き、右眼用液晶シャッター１を閉じ、かつ、右眼用画像の表示タイミングに合わせて、右眼用液晶シャッター１を開き、左眼用液晶シャッター２を閉る制御である立体画像用制御
のいずれか１つの制御を選択するスイッチである。表示モード設定スイッチ５１０は、ユーザから上記制御の何れかを選択する入力を受け付けるように構成されているものとする。あるいは、画像表示装置３００など外部装置から、上記制御の何れかを選択させるための信号を受信する構成であってもよい。
【０１８５】
そして、シャッター制御部５１は、表示モード設定スイッチ５１０の選択に従って左右の液晶シャッター１，２の開閉の制御を行う。
【０１８６】
よって、立体表示用の画像を表示する画像表示装置だけでなく、画像Ａと画像Ｂとを切り替えながら表示する画像表示装置の画像を視認できる、立体画像用メガネを提供できる。立体画像用メガネ１００ｂを用いることで、ユーザは、立体画像、第１画像、第２画像、のうち、所望の画像を選択して見ることができる。
【０１８７】
〔実施の形態７〕
（立体画像用メガネ）
実施の形態７の立体画像用メガネ１００は、実施の形態１の立体画像用メガネ１００と同様の構成である。同じ構成については、説明を省略する。
【０１８８】
本実施形態の立体画像用メガネ１００は、状態情報を送信しなくてもよい。本実施形態の立体画像用メガネ１００では、予め立体画像用メガネ１００自身の識別情報（例えばＩＤ番号）及び表示モードを送信しておく。この表示モードとは、立体画像用メガネ１００が表示可能なモードを示す信号である。受信部（タイミング信号受信部、選択信号受信部）９２０は、右眼用画像と左眼用画像との切り替えのタイミング信号を受信する。さらに、受信部９２０は、
（ａ）上記実施の形態５で説明した第１画像用制御
（ｂ）上記実施の形態５で説明した第２画像用制御
（ｃ）上記実施の形態６で説明した立体画像用制御
何れか１つの制御を選択させる選択信号を受信する。選択信号は、画像表示装置３００から送られても、他の外部装置から送られてくるものであってもよい。
【０１８９】
そして、シャッター制御部５１は、受信した選択信号によって、第１画像用制御、第２画像用制御、及び立体画像用制御、のいずれか１つを選択して左右の液晶シャッター１，２の開閉の制御を行う。
【０１９０】
よって、画像表示装置３００あるいは他の外部装置から、立体画像用メガネ１００に、選択信号を送ることで、立体画像用メガネ１００に対して、どのような制御を行えばよいかの指示をすることができる。
【０１９１】
例えば、ゲームや劇場映画、講演その他、見る人の立場によって見せる画像を制御したい場合等に、好適に利用できる。このように、画像表示装置３００あるいは他の外部装置からの選択信号に従って、立体画像だけでなく、左眼用画像（画像Ａ）、右眼用画像（画像Ｂ）を、選択して見ることが可能な立体画像用メガネ１００を提供することができる。よって、上記構成によると、ユーザの利便性を向上させ、ユーザに快適な視聴環境を提供することできる。
【０１９２】
（画像表示装置）
実施の形態７の画像表示装置３００は、実施の形態１の画像表示装置３００と同様の構成である。同じ構成については、説明を省略する。本実施形態の画像表示装置３００は、状態情報を受信しなくてもよい。
【０１９３】
本実施形態の画像表示装置３００では、送信部（選択信号送信部）４６は、本実施形態の立体画像用メガネ１００に、実施の形態７で説明した、（ａ）第１画像用制御、（ｂ）第２画像用制御、（ｃ）立体画像用制御，うちの何れか１つの制御を選択させるための選択信号を送信する。
【０１９４】
よって、画像表示装置３００から、立体画像用メガネに、選択信号を送ることで、立体画像用メガネ１００に対して、どのような制御を行えばよいかの指示をすることができる。
【０１９５】
例えば、ゲームや劇場映画、講演その他、見る人の立場によって見せる画像を制御したい場合等に、好適に利用できる。このように、立体画像だけでなく、左眼用画像（画像Ａ）、右眼用画像（画像Ｂ）を、選択させることが可能な画像表示装置を提供することができる。このように、ユーザの利便性を向上させ、ユーザに快適な視聴環境を提供することできる。
【０１９６】
〔実施の形態８〕
実施の形態８の立体画像用メガネ１００は、実施の形態７の立体画像用メガネ１００と同様の構成である。同じ構成については、説明を省略する。
【０１９７】
本実施形態の立体画像用メガネ１００では、さらに、受信部９２０が、実施の形態７で説明した選択信号と共に、選択を行う個体を示す識別情報（例えばＩＤ番号）を受信すると、シャッター制御部（識別情報判断部）５１は、この識別情報から、立体画像用メガネ１００が選択を行う個体であるか否かを判断する。そして、シャッター制御部５１は、選択を行う個体であると判断すると、受信した選択信号に従って、第１画像用制御、第２画像用制御、及び上記立体画像用制御、のいずれか１つを選択して左右の液晶シャッター１，２の開閉の制御を行う。
【０１９８】
よって、画像表示装置３００あるいは他の外部装置から、立体画像用メガネ１００に、識別情報を送ることで、立体画像用メガネ１００に対して、上記制御の選択を行う個体であるか否かを伝達することができる。
【０１９９】
例えば、画像表示装置３００あるいは他の外部装置から、立体画像用メガネに対して、立体画像用メガネ１００のＩＤ番号Ａと共に立体画像用制御を選択させる選択信号を送信する場合を考える。この場合、ＩＤ番号Ａの立体画像用メガネ１００は、受信したＩＤ番号と選択信号とから、立体画像用制御を選択する。識別情報Ｂの立体画像用メガネ１００は、受信したＩＤ番号から、自身は選択しないものと理解することができる。
【０２００】
また、例えば、立体画像用メガネに対して、ＩＤ番号Ａと共に第１画像用制御を選択させる選択信号を送信し、かつＩＤ番号Ｂと共に第２画像用制御を選択させる場合を考える。この場合、ＩＤ番号Ａの立体画像用メガネは、受信した識別情報と選択信号とから、第１画像用制御を選択する。ＩＤ番号Ｂの立体画像用メガネは、受信したＩＤ番号と選択信号とから、第２画像用制御を選択する。この場合の、立体画像用メガネでも見え方について、具体的に説明する。左眼用画像（画像Ａ）と右眼用画像（画像Ｂ）とがゲームとニュースとであり、画像表示装置が、これらを交互に表示する場合を用いて説明する。画像表示装置３００あるいは他の外部装置から、ＩＤ番号Ａと共に第１画像用制御を選択させる選択信号を送信し、かつＩＤ番号Ｂと共に第２画像用制御を選択させるとする。この場合、ＩＤ番号Ａの立体画像用メガネを装着している人（単数でも複数でも構わない）は、ゲームを見ることができる。また、ＩＤ番号Ｂの立体画像用メガネを装着している人（単数でも複数でも構わない）は、ニュースを見ることができる。
【０２０１】
このように、識別情報（ＩＤ番号）の異なる複数の立体画像用メガネ１００に対して、異なる選択信号が送信される場合に好適に利用される。
【０２０２】
（画像表示装置）
実施の形態８の画像表示装置３００は、実施の形態７の画像表示装置３００と同様の構成である。同じ構成については、説明を省略する。本実施形態の画像表示装置３００は、状態情報を受信しなくてもよい。
【０２０３】
本実施形態の画像表示装置３００では、さらに、送信部（選択信号送信部）４６が、上記選択信号と共に、選択を行う個体であることを示す識別情報（例えばＩＤ番号）を、送信する。
【０２０４】
よって、立体画像用メガネ１００にＩＤ番号を送ることで、立体画像用メガネ１００に対して、制御の選択を行う個体であるか否かを伝達することができる。よって、画像表示装置３００から、ＩＤ番号の異なる複数の立体画像用メガネ１００に対して、選択信号を送信する場合に好適に用いることができる。
【０２０５】
（画像表示システム）
実施の形態８の画像表示システム２００は、図３に示すように、本実施形態の立体画像用メガネ１００と、本実施形態の画像表示装置３００とを備えている。
【０２０６】
画像表示装置３００は、立体画像用メガネ１００に対して、第１画像用制御、第２画像用制御、及び立体画像用制御、のいずれか１つを選択させる信号を送ることができる。よって、画像表示装置３００から、立体画像用メガネ１００に、選択信号を送ることで、立体画像用メガネに対して、どのような制御を行えばよいかの指示をすることができる。また、立体画像用メガネ１００は、受信した選択信号によって、上記３つの制御のうちいずれか１つの制御を選択して左右の液晶シャッター１，２の開閉の制御を行うことができる。
【０２０７】
よって、本実施形態の画像表示システム２００は例えば、ゲームや劇場映画、講演その他、見る人の立場によって見せる画像を制御するシステムに、好適に利用できる。このように、画像表示装置からの選択信号により、立体画像用メガネに、立体画像だけでなく、左眼用画像（画像Ａ）、右眼用画像（画像Ｂ）を、選択させることが可能なシステムを提供することができる。よって、上記構成によると、ユーザの利便性を向上させ、ユーザに快適な視聴環境を提供することできる。そのため、上記構成によると、ユーザの利便性を向上させ、ユーザに快適な視聴環境を提供することできる。
【０２０８】
（通信方式）
以上の各実施形態における通信方式は例えば無線電波方式が考えられる。近年ＴＶ（Television）等はインターネットとの接続が可能となり、ＴＶ用のリモコンも無指向性、高速化が求められ、商品化されつつある。このリモコンと立体画像用メガネ１００とを共通の無線電波方式にすれば、画像表示装置３００としてのＴＶに配置される無線の送受信部の共通化を図ることができる。この無線通信方式として具体的には例えば、消費電力的に有利なIEEE802.15.4の物理層をベースとしたZigBeeに準拠したものが考えられる。
【０２０９】
上記の無線電波方式では、赤外線による伝送に比べ、指向性がなく、到達距離が長く、別の装置との混信の心配がなく、立体画像用メガネ１００に適したものになる。
【０２１０】
なお、この発明は上述の実施形態に限定されない。なお、各実施形態での通信方式を電波無線方式としたが、赤外線通信方式での双方向通信を行ってもよい。
【０２１１】
（立体画像用メガネ及び画像表示装置の適用）
上記各実施形態の立体画像用メガネ１００（または、１００ａ，１００ｂ）及び画像表示装置３００を、テレビやパソコン等の電子機器に一体に用いてもよい。また、オフィスあるいは家庭用のプロジェクター、映画館の映写システム、ゲーム機器等に用いてもよい。
【０２１２】
〔実施の形態９〕
本実施形態の立体画像用メガネ１００の制御部５、画像表示装置３００の制御部３４及び通信制御部４２は、ハードウェアロジックによって構成してもよいし、次のようにＣＰＵを用いてソフトウェアによって実現してもよい。
【０２１３】
すなわち、立体画像用メガネ１００及び画像表示装置３００は、それぞれ、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである立体画像用メガネ１００及び画像表示装置３００の各制御プログラムのプログラムコード（実行形式プログラム、中間コードプログラム、ソースプログラム）をコンピュータで読み取り可能に記録した記録媒体を、立体画像用メガネ１００及び画像表示装置３００にそれぞれ供給し、そのコンピュータ（またはＣＰＵやＭＰＵ）が記録媒体に記録されているプログラムコードを読み出し実行することによっても、達成可能である。
【０２１４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１５】
また、立体画像用メガネ１００及び画像表示装置３００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２１６】
本発明は上述した各実施形態に限定されるものではなく、種々の変更が可能であり、上述した異なる実施形態において開示された各技術的手段を適宜組み合わせて得られる実施形態についても本発明の技術的範囲に含まれる。
【産業上の利用可能性】
【０２１７】
本発明は、画像表示装置に表示される右眼用画像と左眼用画像との切り替えのタイミング信号を受信し、右眼用レンズと左眼用レンズとの液晶シャッターの開閉を制御する立体画像用メガネに適用することができる。
【符号の説明】
【０２１８】
１      右眼用液晶シャッター
２      左眼用液晶シャッター
３      液晶駆動部
４      制御用ＩＣ
５      制御部
８      バッテリー（充電池）
９      信号送受信部
１２    電源用スイッチ（装着検知部、電源スイッチ）
１３    充電部
１４    電圧検出部
１５    ＩＤ設定部
２２    回路基板
２３    メガネフレーム
２４    フレキシブル基板
３１    通信部
３２    画像処理部
３４    制御部
３６    表示処理部
３７    表示部
３８    電源部
３９    音声処理部
４０    音声出力部
４１    センサー（装着検知部）
４２    通信制御部
４５    送受信部
５１    シャッター制御部（識別情報判断部）
４６    送信部（選択信号送信部）
４７    受信部（状態情報受信部）
１００  立体画像用メガネ
１０１  右眼用レンズ
１０２  左眼用レンズ
２００  画像表示システム
３００  画像表示装置
３４１  表示制御部
３９０  筐体
５１０  表示モード設定スイッチ（選択部）
９１０  送信部（状態情報送信部）
９２０  受信部（タイミング信号受信部、選択信号受信部）
【図１】
2012182752.tif 000003
【図２】
2012182752.tif 000004
【図３】
2012182752.tif 000005
【図４】
2012182752.tif 000006
【図５】
2012182752.tif 000007
【図６】
2012182752.tif 000008
【図７】
2012182752.tif 000009
【図８】
2012182752.tif 000010
【図９】
2012182752.tif 000011
【図１０】
2012182752.tif 000012
【図１１】
2012182752.tif 000013